(57)【要約】【課題】参加しやすいパーティーを実現できるパーティーシステム及びパーティーシステム用サーバ装置を提供する。【解決手段】（ａ）ユーザの端末が通信網を介して接続される端末接続部２２と、（ｂ）ユーザに関するユーザ情報４６を記憶装置４０に記憶させるユーザ管理部３２と、（ｃ）２台の端末間のビデオ通話を制御するビデオ通話制御部２４と、（ｄ）パーティーの開催中に、端末接続部２２に接続されパーティーに参加中の複数台の端末のユーザに関するユーザ情報４６を参照し、当該複数台の端末から２台ずつを選択し、選択された２台の端末間で所定時間のビデオ通話を行うように、ビデオ通話制御部２４に指令する、パーティー実行部３４と、を備える。パーティー実行部３４は、同一のパーティーにおいて２人のユーザ同士がビデオ通話を２回以上行うことがないように、ビデオ通話を行う２台の端末を選択する。【選択図】図２
2020181518.tif 000002
【特許請求の範囲】
【請求項１】
ビデオ通話を利用するパーティーを開催するためのパーティーシステム用サーバ装置であって、
ユーザの端末が通信網を介して接続される端末接続部と、
前記ユーザに関するユーザ情報を記憶装置に記憶させるユーザ管理部と、
前記端末接続部に接続されている２台の前記端末間の前記ビデオ通話を制御するビデオ通話制御部と、
前記パーティーの開催中に、前記端末接続部に接続され前記パーティーに参加中の複数台の前記端末の前記ユーザに関する前記ユーザ情報を参照し、当該複数台の前記端末から２台ずつを選択し、選択された２台の前記端末間で所定時間の前記ビデオ通話を行うように、前記ビデオ通話制御部に指令する、パーティー実行部と、
を備え、
前記パーティー実行部は、同一の前記パーティーにおいて２人の前記ユーザ同士が前記ビデオ通話を２回以上行うことがないように、２台の前記端末を選択する、パーティーシステム用サーバ装置。
【請求項２】
前記所定時間の前記ビデオ通話が終了した直後の２台の前記端末それぞれに示される質問であって、当該ビデオ通話の相手であった前記ユーザと互いに特定ユーザになることを希望するか否かの質問に対して、当該２台の前記端末の両方で希望すると回答されたとき、当該ビデオ通話を行った２人の前記ユーザが互いに前記特定ユーザであることを示す相互関係情報を、前記記憶装置に記憶させる相互関係管理部と、
前記相互関係情報を参照し、２台の前記端末の前記ユーザが互いに前記特定ユーザであるとき、前記パーティー以外において当該２台の前記端末間の前記ビデオ通話を許可するように、前記ビデオ通話制御部に指令する、相互関係管理部と、
をさらに備え、
前記パーティー実行部は、前記パーティーにおいて前記ビデオ通話を行う２台ずつの前記端末を選択するとき、前記ユーザ情報及び前記相互関係情報を読み出し、互いに前記特定ユーザである前記ユーザの２台の前記端末を、選択から除外し、
前記相互関係管理部は、１人の前記ユーザが複数人の前記ユーザそれぞれと互いに前記特定ユーザであることを示す前記相互関係情報を登録できる、請求項１に記載のパーティーシステム用サーバ装置。
【請求項３】
前記端末間のメッセージのやり取りを制御するメッセージ制御部を、さらに備え、
前記相互関係管理部は、前記相互関係情報を参照し、２台の前記端末の前記ユーザが互いに前記特定ユーザであるとき、当該２台の前記端末間での前記メッセージのやり取りを許可するように、前記メッセージ制御部に指令する、請求項２に記載のパーティーシステム用サーバ装置。
【請求項４】
前記ユーザが所有している仮想のチケットの枚数を管理するチケット管理部を、さらに備え、
前記パーティー実行部は、開催中の前記パーティーに参加するために前記端末接続部に接続されている前記端末の前記ユーザが所有している前記チケットの枚数から、前記端末の状態に応じて所定枚数分を減らし又は増やすように、前記チケット管理部に指令する、請求項１乃至３のいずれか一つに記載のパーティーシステム用サーバ装置。
【請求項５】
前記ユーザが所有している仮想のチケットの枚数を管理するチケット管理部を、さらに備え、
前記相互関係管理部は、前記ユーザについての前記相互関係情報が前記記憶装置に記憶されることに対応して、前記ユーザが所有している前記チケットの枚数から所定枚数分を減らし又は増やすように、前記チケット管理部に指令する、請求項２又は３に記載のパーティーシステム用サーバ装置。
【請求項６】
前記ユーザが所有している仮想のチケットの枚数を管理するチケット管理部を、さらに備え、
前記相互関係管理部は、前記ユーザが前記ユーザの前記特定ユーザと前記ビデオ通話を行うことに対応して、前記ユーザが所有している前記チケットの枚数から所定枚数分を減らし又は増やすように、前記チケット管理部に指令する、請求項２又は３に記載のパーティーシステム用サーバ装置。
【請求項７】
前記ユーザが所有している仮想のチケットの枚数を管理するチケット管理部を、さらに備え、
前記相互関係管理部は、前記ユーザが前記ユーザの前記特定ユーザと前記メッセージをやり取りすることに対応して、前記ユーザが所有している前記チケットの枚数から所定枚数分を減らし又は増やすように、前記チケット管理部に指令する、請求項２又は３に記載のパーティーシステム用サーバ装置。
【請求項８】
前記端末に通知情報が表示されるようにする通知部を、さらに備え、
前記パーティー実行部は、前記パーティーの開催中に、新たな前記端末が前記端末接続部に接続され当該パーティーに参加すると、当該パーティーに一旦参加したが現在は参加していない前記端末に前記通知情報が表示されるように、前記通知部に指令する、請求項１乃至７のいずれか一つに記載のパーティーシステム用サーバ装置。
【請求項９】
前記ユーザ管理部は、前記ユーザが所属する組織を識別するための所属情報を前記ユーザ情報に含める、請求項１乃至８のいずれか一つに記載のパーティーシステム用サーバ装置。
【請求項１０】
前記チケット管理部は、
所定の前記組織に所属する全ての前記ユーザについて、前記ユーザが購入した有料の前記チケットの枚数を集計する購入枚数集計と、
所定の前記組織に所属する全ての前記ユーザについて、所定の前記パーティーにおいて、前記ユーザが当該パーティーに参加する直前に所有していた有料の前記チケットの枚数から減った枚数を集計する消費枚数集計と、
所定の前記パーティーに参加した全ての前記ユーザについて、当該パーティーにおいて、前記ユーザが当該パーティーに参加する直前に所有していた有料の前記チケットの枚数から減った枚数を集計するパーティー集計部と、
のうち少なくとも一つを行う、請求項９に記載のパーティーシステム用サーバ装置。
【請求項１１】
前記ユーザ管理部は、前記ユーザの性別に関する情報を含む前記ユーザ情報を記憶装置に記憶させ、
前記パーティー実行部は、前記パーティーの開催中に、前記端末接続部に接続され前記パーティーに参加中の複数台の前記端末の前記ユーザに関する前記ユーザ情報を参照し、当該複数台の前記端末から、女性の前記ユーザの前記端末と男性の前記ユーザの前記端末とからなる２台ずつを選択し、選択された２台の前記端末のうち、女性の前記ユーザの前記端末から男性の前記ユーザの前記端末を呼び出して当該２台の端末間で所定時間の前記ビデオ通話を行うように、前記ビデオ通話制御部に指令する、請求項１乃至１０のいずれか一つにパーティーシステム用サーバ装置。
【発明の詳細な説明】
【技術分野】
【０００１】
本発明はパーティーシステム及びパーティーシステム用サーバ装置に関し、詳しくは、ビデオ通話を利用するパーティーを開催するためのパーティーシステム及びパーティーシステム用サーバ装置に関する。
【背景技術】
【０００２】
従来、婚活パーティーと呼ばれるパーティーが開催されている。図８は、このようなパーティーのテーブル配置の略図である。図８に示すように、テーブルが８つあり、ハートマークが女性の席であり、丸マークが男性の席であり、黒いマークは予約済みを示す（例えば、特許文献１参照）。
【０００３】
このようなパーティーでは、男女同数の参加者がパーティー会場に集まり、男性と女性がテーブルを挟んで着席して、向かい合った男女間で会話する。所定時間が経過すると男性が席を移動し、再び、向かい合った男女間で会話する。
【先行技術文献】
【特許文献】
【０００４】
【特許文献１】特開２００９−３２１７６号公報
【発明の概要】
【発明が解決しようとする課題】
【０００５】
例えば婚活パーティーを開催する場合、会場と、参加受付やパーティー進行等のスタッフとが必要である。参加者が会場に集まるので、参加しやすい会場と開催日時を選ぶ必要があり、開催可能な日時が制限される。また、遠方からの参加は容易でない。さらに、パーティー当日に男女の参加者が同数になるように調整するのは面倒である。
【０００６】
かかる実情に鑑み、本発明が解決しようとする課題は、開催が容易であり、参加しやすいパーティーを実現できるパーティーシステム及びパーティーシステム用サーバ装置を提供することである。
【課題を解決するための手段】
【０００７】
本発明は、上記課題を解決するために、以下のように構成したパーティーシステム用サーバ装置を提供する。
【０００８】
パーティーシステム用サーバ装置は、ビデオ通話を利用するパーティーを開催するためのパーティーシステム用サーバ装置であって、（ａ）ユーザの端末が通信網を介して接続される端末接続部と、（ｂ）前記ユーザに関するユーザ情報を記憶装置に記憶させるユーザ管理部と、（ｃ）前記端末接続部に接続されている２台の前記端末間の前記ビデオ通話を制御するビデオ通話制御部と、（ｄ）前記パーティーの開催中に、前記端末接続部に接続され前記パーティーに参加中の複数台の前記端末の前記ユーザに関する前記ユーザ情報を参照し、当該複数台の前記端末から２台ずつを選択し、選択された２台の前記端末間で所定時間の前記ビデオ通話を行うように、前記ビデオ通話制御部に指令する、パーティー実行部と、を備える。前記パーティー実行部は、同一の前記パーティーにおいて２人の前記ユーザ同士が前記ビデオ通話を２回以上行うことがないように、前記ビデオ通話を行う２台の前記端末を選択する。
【０００９】
上記構成によれば、開催が容易であり、参加しやすいパーティーを実現できる。
【００１０】
好ましくは、パーティーシステム用サーバ装置は、（ｅ）前記所定時間の前記ビデオ通話が終了した直後の２台の前記端末それぞれに示される質問であって、当該ビデオ通話の相手であった前記ユーザと互いに特定ユーザになることを希望するか否かの質問に対して、当該２台の前記端末の両方で希望すると回答されたとき、当該ビデオ通話を行った２人の前記ユーザが互いに前記特定ユーザであることを示す相互関係情報を、前記記憶装置に記憶させる相互関係管理部と、（ｆ）前記相互関係情報を参照し、２台の前記端末の前記ユーザが互いに前記特定ユーザであるとき、前記パーティー以外において当該２台の前記端末間の前記ビデオ通話を許可するように、前記ビデオ通話制御部に指令する、相互関係管理部と、をさらに備える。前記パーティー実行部は、前記パーティーにおいて前記ビデオ通話を行う２台ずつの前記端末を選択するとき、前記ユーザ情報及び前記相互関係情報を読み出し、互いに前記特定ユーザである前記ユーザの２台の前記端末を、選択から除外する。前記相互関係管理部は、１人の前記ユーザが複数人の前記ユーザそれぞれと互いに前記特定ユーザであることを示す前記相互関係情報を登録できる。
【００１１】
この場合、ユーザは気軽にパーティーに参加し、特定ユーザを増やすことできる。
【００１２】
好ましくは、パーティーシステム用サーバ装置は、（ｇ）前記端末間のメッセージのやり取りを制御するメッセージ制御部を、さらに備える。前記相互関係管理部は、前記相互関係情報を参照し、２台の前記端末の前記ユーザが互いに前記特定ユーザであるとき、当該２台の前記端末間での前記メッセージのやり取りを許可するように、前記メッセージ制御部に指令する。
【００１３】
この場合、互いに特定ユーザであるユーザ同士は、メッセージのやり取りできる。
【００１４】
好ましくは、パーティーシステム用サーバ装置は、（ｈ）前記ユーザが所有している仮想のチケットの枚数を管理するチケット管理部を、さらに備える。前記パーティー実行部は、開催中の前記パーティーに参加するために前記端末接続部に接続されている前記端末の前記ユーザが所有している前記チケットの枚数から、前記端末の状態に応じて所定枚数分を減らし又は増やすように、前記チケット管理部に指令する。
【００１５】
この場合、例えば、パーティーに参加している状態やビデオ通話をしている状態などの端末の状態に応じて、ユーザから料金を徴収したり、その端末のユーザに報奨を与えたりすることができる。
【００１６】
好ましくは、パーティーシステム用サーバ装置は、（ｈ）前記ユーザが所有している仮想のチケットの枚数を管理するチケット管理部を、さらに備える。前記相互関係管理部は、前記ユーザについての前記相互関係情報が前記記憶装置に記憶されることに対応して、前記ユーザが所有している前記チケットの枚数から所定枚数分を減らし又は増やすように、前記チケット管理部に指令する。
【００１７】
この場合、互いに特定ユーザになるユーザのいずれか一方又は両方から料金を徴収したり、いずれか一方又は両方に報奨を与えたりすることができる。
【００１８】
好ましくは、パーティーシステム用サーバ装置は、（ｈ）前記ユーザが所有している仮想のチケットの枚数を管理するチケット管理部を、さらに備える。前記相互関係管理部は、前記ユーザが前記ユーザの前記特定ユーザと前記ビデオ通話を行うことに対応して、前記ユーザが所有している前記チケットの枚数から所定枚数分を減らし又は増やすように、前記チケット管理部に指令する。
【００１９】
この場合、特定ユーザとビデオ通話するユーザから料金を徴収したり、特定ユーザとビデオ通話するユーザに報奨を与えたりすることができる。
【００２０】
好ましくは、パーティーシステム用サーバ装置は、（ｈ）前記ユーザが所有している仮想のチケットの枚数を管理するチケット管理部を、さらに備える。前記相互関係管理部は、前記ユーザが前記ユーザの前記特定ユーザと前記メッセージをやり取りすることに対応して、前記ユーザが所有している前記チケットの枚数から所定枚数分を減らし又は増やすように、前記チケット管理部に指令する。
【００２１】
この場合、特定ユーザとメッセージをやり取りするユーザから料金を徴収したり、特定ユーザとメッセージをやり取りするユーザに報奨を与えたりすることができる。
【００２２】
好ましくは、パーティーシステム用サーバ装置は、（ｉ）前記端末に通知情報が表示されるようにする通知部を、さらに備える。前記パーティー実行部は、前記パーティーの開催中に、新たな前記端末が前記端末接続部に接続され当該パーティーに参加すると、当該パーティーに一旦参加したが現在は参加していない前記端末に前記通知情報が表示されるように、前記通知部に指令する。
【００２３】
この場合、パーティーから抜け出したユーザの端末に、パーティーに戻る動機付けになる通知情報を表示できる。
【００２４】
好ましくは、前記ユーザ管理部は、前記ユーザが所属する組織を識別するための所属情報を前記ユーザ情報に含める。
【００２５】
この場合、別々の組織に所属するユーザが一緒に参加するパーティーを開催したり、特定の組織に所属するユーザのみが参加するパーティーを開催したりすることができる。
【００２６】
好ましくは、前記チケット管理部は、（１）所定の前記組織に所属する全ての前記ユーザについて、前記ユーザが購入した有料の前記チケットの枚数を集計する購入枚数集計と、（２）所定の前記組織に所属する全ての前記ユーザについて、所定の前記パーティーにおいて、前記ユーザが当該パーティーに参加する直前に所有していた有料の前記チケットの枚数から減った枚数を集計する消費枚数集計と、（３）所定の前記パーティーに参加した全ての前記ユーザについて、当該パーティーにおいて、前記ユーザが当該パーティーに参加する直前に所有していた有料の前記チケットの枚数から減った枚数を集計するパーティー集計部と、のうち少なくとも一つを行う。
【００２７】
この場合、集計を元に、組織の費用負担を決めることができる。
【００２８】
好ましくは、前記ユーザ管理部は、前記ユーザの性別に関する情報を含む前記ユーザ情報を前記記憶装置に記憶させる。前記パーティー実行部は、前記パーティーの開催中に、前記端末接続部に接続され前記パーティーに参加中の複数台の前記端末の前記ユーザに関する前記ユーザ情報を参照し、当該複数台の前記端末から、女性の前記ユーザの前記端末と男性の前記ユーザの前記端末とからなる２台ずつを選択し、選択された２台の前記端末のうち、女性の前記ユーザの前記端末から男性の前記ユーザの前記端末を呼び出して当該２台の端末間で所定時間の前記ビデオ通話を行うように、前記ビデオ通話制御部に指令する。
【００２９】
この場合、ビデオ通話によるパーティーを開催できる。
【発明の効果】
【００３０】
本発明によれば、開催が容易であり、参加しやすいパーティーを実現できる。
【図面の簡単な説明】
【００３１】
【図１】パーティーシステム１０の全体構成を示す略図である。（実施例１）
【図２】サーバ装置の構成図である。（実施例１）
【図３】パーティーを開催するときのフローチャートである。（実施例１）
【図４】パーティーを開催するときのフローチャートである。（実施例１）
【図５】端末の画面表示の略図である。（実施例１）
【図６】端末の画面表示の略図である。（実施例１）
【図７】端末の画面表示の略図である。（実施例１）
【図８】テーブル配置の略図である。（従来例）
【発明を実施するための形態】
【００３２】
以下、本発明の実施の形態について、図面を参照しながら説明する。
【００３３】
＜実施例１＞  実施例１のパーティーシステム１０及びパーティーシステム用サーバ装置１２について、図１〜図７を参照しながら説明する。
【００３４】
図１は、パーティーシステム１０の全体構成の概要を示す略図である。図１に示すように、スマートフォン、タブレットＰＣ、タブレット端末、ノートＰＣなどの複数台の端末２が、携帯電話やインターネット等の通信網４を介して、パーティーシステム用サーバ装置１２（以下、「サーバ装置１２」という。）に接続される。サーバ装置１２は、１台のサーバ装置で構成しても、複数台のサーバ装置（例えば、メインサーバと、ＷｅｂＲＴＣサーバ）で構成してもよい。
【００３５】
端末２は、サーバ装置１２と協働しながら動作するアプリケーションソフトウェア（以下、「専用アプリ」という。）がインストールされる。端末２は、専用アプリが起動されると、サーバ装置１２に接続される。端末２は、通信網４を介して、サーバ装置１２、又は、サーバ装置１２以外のサーバ装置１４から専用アプリをダウンロードしたり、仮想のチケット（以下、「チケット」という。）を購入したりすることができる。
【００３６】
図２は、サーバ装置１２の構成の略図である。図２に示すように、サーバ装置１２は、通信インターフェースである通信部２０と、ＣＰＵやメモリなどで構成され所定のプログラムに従ってデータを処理する制御部３０と、ハードディスクやＲＡＭなどで構成された記憶装置４０とを備える。通信部２０と制御部３０と記憶装置４０とは、バスを介してデータ信号をやり取りする。
【００３７】
通信部２０は、通信網４を介して端末２が接続される端末接続部２２と、通信網４を介して端末接続部２２に接続されている２台の端末２間のビデオ通話を制御するビデオ通話制御部２４と、端末２間のメッセージのやり取りを制御するメッセージ制御部２６と、端末２に通知情報が表示されるようにする通知部２８とを、を含む。
【００３８】
制御部３０は、ユーザ管理部３２と、パーティー実行部３４と、相互関係管理部３６と、チケット管理部３８とを含む。ユーザ管理部３２は、パーティーシステム１０を利用するユーザ（以下、「ユーザ」という。）の登録（ユーザ登録）を受け付け、ユーザに関するユーザ情報を管理し、ログインなどの処理を行う。パーティー実行部３４は、ビデオ通話を利用するパーティー（以下、「パーティー」という。）を開催するための処理を行う。相互関係管理部３６は、詳しくは後述するユーザ間の相互関係情報を管理する。チケット管理部３８は、ユーザが所有しているチケットの枚数を管理する。
【００３９】
記憶装置４０は、端末接続部２２に接続されている端末２の利用状況やデータ通信など履歴や情報の記録であるログ４２や、開催日時・参加条件などのパーティーに関するパーティー情報４４や、ユーザ情報４６や、後述する相互関係情報４８などを記憶する。
【００４０】
端末２にインストールされる専用アプリは、ブラウザ機能と、ビデオ通話機能と、メッセージ機能と、アップロード機能と、通知機能とを有する。ブラウザ機能により、端末２とサーバ装置１２との間で情報をやり取りすることができ、パーティー情報４４等が端末２の画面に表示され、端末２で入力された情報がサーバ装置１２に伝達される。ビデオ通話機能により、端末２は他の端末２とビデオ通話することができる。メッセージ機能により、端末２と他の端末２との間でメッセージをやり取りすることができる。アップロード機能により、端末２に格納されている画像データ等をサーバ装置１２にアップロードすることができる。通知機能により、サーバ装置１２からの通知情報が、端末２に表示される。
【００４１】
図３及び図４は、パーティーシステム１０を利用してパーティーを開催するときのフローチャートである。
【００４２】
図３及び図４に示すように、端末２で専用アプリが起動されると（Ｓ１０）、端末２は、通信網４を介して、サーバ装置１２の端末接続部２２に接続され、サーバ装置１２と通信可能となる。
【００４３】
ユーザ登録が完了していない場合（Ｓ１２でＮ）、端末２に、ユーザ登録を行うためのユーザ登録画面が表示され、端末２を操作することによって、ユーザ登録することができる（Ｓ１３）。
【００４４】
ユーザ登録のために端末２で入力されたデータは、サーバ装置１２のユーザ管理部３２に伝達される。ユーザ管理部３２は、端末２で入力されたデータとユーザＩＤとを対にしたユーザ情報を、記憶装置４０に記憶させる。婚活パーティーを行う場合、ユーザ情報に性別を含める。異業種交流パーティーを行う場合、ユーザ情報に業種や役職等を含める。
【００４５】
例えば、婚活パーティーのユーザ登録の場合、端末２で、メールアドレス、パスワード、ニックネームが入力され、利用規約に同意され、それらのデータがサーバ装置１２に送信されると、ユーザ情報のうち基本情報が登録され、ユーザ登録が完了した状態になる。その後、端末２で、プロフィール入力、画像登録、年齢確認等を行うと、それらの詳細情報がユーザ情報に追加される。ユーザ情報には、氏名、ニックネーム、性別、生年月日、居住地又は出身地の都道府県、職種、趣味カテゴリー、自己ＰＲ文、画像等を含めることができる。
【００４６】
ユーザ登録が完了している場合（Ｓ１２でＹ）、端末２に、ログイン画面が表示される（Ｓ１４）。端末２でパスワード入力や顔認証等によりログインが完了すると、記憶装置４０からパーティー情報４４が読み出され、端末２に、開催中や開催予定のパーティーの一覧と、パーティーごとの詳細ボタンとが表示される（Ｓ１６）。詳細ボタンがタップ等により選択されると、端末２には、選択されたパーティーの詳細情報が表示され、入場可能である場合には入場ボタンが表示される（Ｓ１７）。
【００４７】
端末２で入場ボタンがタップ等により選択されると、パーティー参加の受け付けを開始する（Ｓ１８）。まず、サーバ装置１２のユーザ管理部３２は、記憶装置４０から、端末２のユーザに関するユーザ情報を読み出し、年齢確認が終わっているかを判定する（Ｓ２０）。年齢確認が終わっていない場合（Ｓ２０でＮ）、端末２に、年齢を証明するための証明書の写真をサーバ装置１２にアップロードのための画面が表示される（Ｓ２１）。
【００４８】
証明書の写真がアップロードされると、証明書に記載の生年月日により年齢確認を行い、年齢条件を満たす場合には、ユーザ管理部３２からの指令により、記憶装置４０が記憶しているユーザ情報に、年齢確認済み情報が追加される。
【００４９】
年齢確認済みの場合（Ｓ２０でＹ）、サーバ装置１２のチケット管理部３８は、端末２のユーザが所有しているチケット枚数が、パーティー参加に必要な所定枚数以上であるか否を判定する（Ｓ２２）。ユーザが所有しているチケット枚数が所定枚数未満である場合（Ｓ２２でＮ）、端末２に、チケットを購入するためのチケット購入画面が表示され、端末２のユーザはチケットを購入することができる（Ｓ２３）。
【００５０】
ユーザが所有しているチケット枚数が所定枚数以上である場合（Ｓ２２でＹ）、パーティーの受け付けが完了し、パーティーに参加可能である状態（以下、「参加可能状態」という。）になる（Ｓ２４）。
【００５１】
参加可能状態では、端末２に通常画面が表示される（Ｓ２６）。端末２で、パーティーのビデオ通話を開始するための所定操作が行われると（Ｓ２８でＹ）、ビデオ通話する相手の端末２と接続されるまで（Ｓ３４でＮ）、端末２に待機画面が表示され、待機状態になる（Ｓ３０）。待機状態で所定の操作が行われると（Ｓ３２でＹ）、待機状態が解除され、端末２に通常画面が表示される。相手の端末２と接続されると（Ｓ３４でＹ）、相手の端末２と自分の端末２とにビデオ通話画面が表示され、１対１のビデオ通話を行う（Ｓ３６）。
【００５２】
所定時間が経過すると（Ｓ３８でＹ）、ビデオ通話（Ｓ３４）が終了し、ビデオ通話した２台の端末２に、相手と互いに特定ユーザ（例えば、婚活パーティーの場合は「フレンド」、異業種交流パーティーの場合は「知り合い」）になることを希望するか否かを質問する質問画面が表示される（Ｓ４０）。ビデオ通話を行った２台の端末２の両方で希望すると回答されると（Ｓ４２でＹ）、ビデオ通話を行った２人のユーザが互いに特定ユーザであることを示す相互関係情報４８が、記憶装置４０に記憶される（Ｓ４４）。
【００５３】
質問に回答すると、端末２に、パーティーに戻るかどうかの質問が表示され、端末２で、パーティーに戻るを回答する所定の操作がされると（Ｓ４６でＹ）、端末２に待機画面が表示され（Ｓ３０）、パーティーに戻らないを回答する所定の操作がされると（Ｓ４６でＮ）、端末２に通常画面が表示される（Ｓ２６）。なお、図示していないが、パーティーが終了すると参加可能状態が解除され、端末２に、Ｓ１６と同様の画面が表示される。
【００５４】
図５は、婚活パーティーの場合の端末２の画面表示例を示す略図である。
【００５５】
図５（ａ）は参加可能状態の通常画面である。図５（ａ）に示すように、画面上部５０に、受け付けが完了しパーティーに参加（Room in）できること、すなわち、パーティーのビデオ通話に参加可能であることと、参加できるパーティー名とが表示され、その下に、パーティー検索窓５６と、チケット購入ボタン５８とが表示される。画面中央５２には、不図示のコンテンツ（例えば、参加しているパーティーの情報、パーティー検索用のカテゴリーボタン等）が表示される。画面下部５４には、他のページを表示するための種々のアイコンが表示される。例えば、ハート型のアイコンをタップ等により選択すると、端末のユーザと互いに特定ユーザ（フレンド）であるユーザを一覧表示する画面に切り替わる。画面上部５０がタップ等により選択されると、パーティーのビデオ通話を開始する前の待機画面に切り替わり、パーティー参加中になる。
【００５６】
図５（ｂ）は、待機画面である。図５（ｂ）に示すように、画面上部５０にRoom in 状態であることと、パーティー名とが表示される。画面上部５０の色は、図５（ａ）の画面上部の色とは異なる色になり、パーティーに参加中であり、ビデオ通話を待機中であることが分かる。画面中央５２には、呼び出し中であることが表示され、その下に、Room out ボタン６４が表示される。Room out ボタン６４がタップ等により選択されると、図５（ａ）の通常画面に切り替わり、サーバ装置１２のパーティー実行部３４は、ビデオ通話する相手の呼び出しを中止する。なお、画面中央５２に、例えば、相手の呼び出しは、込み合っていると数分かかることや、Room out すると相手と繋がった場合に呼び出すことができないことなど、適宜な説明文を表示してもよい。
【００５７】
図５（ｃ）は、ビデオ通話画面である。図５（ｃ）に示すように、画面中央７２に、ビデオ通話する相手の端末で撮影されたビデオ画像が表示され、画面右下の小枠７４内に、自分の端末で撮影され相手の端末に表示されるビデオ画像が表示され、画面右下の小枠７６内に、ビデオ通話可能時間と、ビデオ通話経過時間とが表示される。画面上部７０には、相手の画像７０ａ（登録画像又はデフォルト用の画像）が表示され、その隣に、相手の簡単な情報７０ｂ（例えば、ニックネーム、生年月日から自動計算された年齢、居住地等）が表示され、通報ボタン７０ｃとビデオ通話ボタン７０ｄが表示される。通報ボタン７０ｃをタップ等により選択すると、ビデオ通話の相手に不適切な言動等があったことを、パーティーシステム１０の管理者に通報することができる。ビデオ通話ボタン７０ｄは、ビデオ通話中であることを表示する。ビデオ通話ボタン７０ｄをタップ等により選択すると、例えば、ビデオ通話の一時停止や、自分のビデオ画像にマスクを重ねた状態で相手に表示されるマスク処理の実行などの操作ができるようにしてもよい。
【００５８】
図５（ｄ）は、ビデオ通話終了後に表示される質問画面である。図５（ｄ）に示すように、相手の登録画像８０と、ビデオ通話終了の案内文８１と、質問文８２と、回答用の２つのボタン８４，８６とが表示され、いずれかのボタン８４，８６をタップ等により選択することによって質問文８２に対して回答する。
【００５９】
参加可能状態になると、サーバ装置１２側の処理は、パーティー実行部３４に引き継がれる。パーティー実行部３４は、パーティーに参加中であり、ビデオ通話を待機中である端末２のユーザを、パーティーの参加者リストに追加する。パーティー実行部３４は、パーティーの開催中に、参加者リストにある複数のユーザの端末２、すなわち、端末接続部２２に接続されパーティーに参加中の複数台の端末２から２台ずつを選択し、選択された２台の端末２間で所定時間のビデオ通話を行うように、サーバ装置１２の通信部２０のビデオ通話制御部２４に指令する。パーティー実行部３４は、端末接続部２２に接続されパーティーに参加中の端末２のユーザに関するユーザ情報を参照し、２台ずつの端末２を選択する。参照するユーザ情報４６は、パーティー実行部３４が記憶装置４０から読み出しても、パーティーに参加するためまでの処理（例えば、ログイン処理）でユーザ管理部３２が記憶装置４０から読み出したユーザ情報４６が、パーティー実行部３４に伝達されてもよい。
【００６０】
パーティー実行部３４は、同一パーティーにおいて、２人のユーザは１回だけビデオ通話し、ビデオ通話を２回以上行うことがないように、パーティー参加中にビデオ通話する２台の端末２を選択する。例えば、パーティー実行部３４は、ビデオ通話を行った２台の端末２のユーザのユーザＩＤの組を記録するリストを作成し、次に選択した２台の端末２のユーザのユーザＩＤの組が、このリストにないかを調べ、リストにあれば、その２台は、パーティー参加中にビデオ通話する２台の端末２の選択から、除外する。
【００６１】
ビデオ通話を行う２台ずつの端末２の選択は、予め定めた方法で行う。例えば、ランダムに選択したり、パーティーに参加した順に選択したり、ビデオ通話の回数が少ない順に選択したり、ビデオ通話の待機時間が長い順に選択したり、ＡＩ（人工知能）によって選択したりする。婚活パーティーの場合、選択する２台の端末２のユーザが女性と男性になるようにする。異業種交流パーティーの場合、選択する２台の端末２のユーザの業種が互いに異なるようにする。
【００６２】
例えば、端末２間のビデオ通話は、ビデオ通話制御部２４であるＷｅｂＲＴＣサーバを介して行い、婚活パーティーの場合、ＷｅｂＲＴＣサーバは、指令に従って、女性のユーザの端末２から男性のユーザの端末２を呼び出す（コールする）。ＷｅｂＲＴＣサーバに対する指令は、パーティー実行部３４が構成されている別のサーバ（メインサーバ）から行う。
【００６３】
ＷｅｂＲＴＣサーバは、例えば、女性が１名、男性が多数の場合は、多数の男性に、パーティー時間（ビデオ通話の所定時間）が切れたら、その都度、繋げていく。男性が２名、女性が５名の場合も、１人の女性が２回繋がったら、その女性についてはビデオ通話が終わり、それを５人の女性について繰り返す。なお、ビデオ通話が終了する毎に、端末２に質問画面が表示される。
【００６４】
所定時間が経過してビデオ通話が終了すると（Ｓ３６でＹ）、サーバ装置１２側の処理は、相互関係管理部３６に引き継がれる。相互関係管理部３６は、所定時間のビデオ通話が終了した直後の２台の端末２それぞれに表示される質問であって、ビデオ通話の相手であったユーザと互いに特定ユーザになることを希望するか否かを選択する質問に対して、２台の端末２の両方で希望すると回答されたとき、ビデオ通話を行った２人のユーザが互いに特定ユーザであることを示す相互関係情報４８を、記憶装置４０に記憶させる。
【００６５】
両方の端末２で質問に対して回答されると、又は、質問画面の表示から所定時間が経過すると、サーバ装置１２側の処理はパーティー実行部３４に引き継がれる。
【００６６】
図６は、婚活パーティーの場合の特定ユーザ（フレンド）の一覧表示画面の略図である。図６に示すように、端末２の画面上部５０に、戻るボタンと、画面タイトルが表示される。画面中央５２に、端末２のユーザの特定ユーザごとに、特定ユーザの画像５３ａ（登録画像又はデフォルト用の画像）と、特定ユーザのニックネーム、年齢等の情報５３ｂと、メールボタン５３ｃと、ビデオ通話ボタン５３ｄとが表示される。画像５３ａをタップ等により選択すると、特定ユーザの詳細情報を表示する画面に切り替わる。特定ユーザからの未読メッセージがあれば、メールボタン５３ｃの右上に丸枠５３ｐが表示され、丸枠５３ｐ内に未読メッセージ数が表示される。特定ユーザからの未読メッセーやビデオ通話の着信があると、画面下部５４中のハート型のアイコンに丸枠５４ａが表示され、丸枠５４ａ内に、その特定ユーザの人数又は件数が表示される。
【００６７】
互いに相手の特定ユーザであるユーザ間のビデオ通話やメッセーをやり取りは、サーバ装置１２の相互関係管理部３６が管理する。詳しくは、相互関係管理部３６は、記憶装置４０に記憶されている相互関係情報４８を参照し、２台の端末２のユーザが互いに特定ユーザであるとき、当該２台の端末２間のビデオ通話を許可するように、サーバ装置１２のビデオ通話制御部２４に指令する。また、相互関係管理部３６は、記憶装置４０に記憶されている相互関係情報４８を読み出し、２台の端末２のユーザが互いに特定ユーザであるとき、当該２台の端末２間でのメッセージのやり取りを許可するように、メッセージ制御部２６に指令する。
【００６８】
あるパーティーのビデオ通話後に互いに特定ユーザになったユーザ同士は、その後、他のパーティーで互いにビデオ通話の相手にならないことが好ましい。また、１人のユーザが、複数人のユーザそれぞれと互いに特定ユーザになれることが好ましい。そのため、好ましくは、パーティー実行部３４は、パーティーにおいてビデオ通話を行う２台ずつの端末２を選択するとき、ユーザ情報４６及び相互関係情報４８を参照し、互いに特定ユーザであるユーザの２台の端末２を、選択から除外する。また、好ましくは、相互関係管理部３６は、１人のユーザが複数人のユーザそれぞれと互いに特定ユーザであることを示す相互関係情報を登録できる。
【００６９】
互いに特定ユーザである一方又は両方のユーザからの申請等により、特定ユーザに関する相互関係情報４８が消去され、互いに特定ユーザである関係が解消されるようにしてもよい。相互関係情報が消去された後に、互いに特定ユーザであったユーザが同じパーティーに参加すると、互いに特定ユーザであったユーザの端末２は、パーティーでビデオ通話する２台の端末として選択され、パーティーのビデオ通話で互いに繋がることができる。
【００７０】
また、パーティーの開催中は、いつでもパーティーに参加でき、いつでもパーティーから抜け出すことができ、いつでもパーティーに戻れる（再び参加できる）ようにすることが好ましい。
【００７１】
この場合、好ましくは、パーティー実行部３４は、パーティーの開催中に、新たな端末２が端末接続部２２に接続され当該パーティーに参加すると、当該パーティーに一旦参加したが現在は参加していない端末２に通知情報が表示されるように、通知部２８に指令する。
【００７２】
これにより、パーティーから抜け出したユーザの端末２に、パーティーに戻る動機付けになる通知情報が表示されるようにすることができる。例えば、パーティー開催中に、ビデオ通話が一巡すると、新たなユーザが参加するまで待機することになるので、パーティーから抜け出した端末２に、通知情報によって新たなユーザの参加を知らせる。また、パーティーから抜け出したユーザに、通知情報によって、パーティーに戻ればビデオ通話可能なユーザの人数や、パーティー終了までの残り時間等を知らせてもよい。
【００７３】
パーティーシステム１０は、パーティーシステムの利用に応じてユーザに課金したり、ユーザに報奨を与えたりするため、チケットを導入している。
【００７４】
ユーザは、端末２に表示されるチケット購入画面から、有料のチケットを購入することができる。図７は、チケット購入画面の略図である。図７に示すように、複数の欄５１ａ〜５１ｅごとに、チケットの枚数と、金額ボタン５１ｐ〜５１ｔとが表示され、いずれかの金額ボタン５１ｐ〜５１ｔをタップ等により選択すると、チケット購入手続きに進むことができる。
【００７５】
無料のチケットを配布してもよい。例えば、ユーザ登録が完了すると、ユーザに所定枚数の無料のチケットを与える。無料のチケットには、有効期限や利用できるサービスに制限を設けてもよい。例えば、無料のチケットで参加できるパーティーでは、ビデオ通話の所定時間を１分とし、有料のチケットで参加するパーティーでは、ビデオ通話の所定時間を３分とする。無料のチケットは、有料のチケットより優先的に使用（消費）されるようにしてもよい。またその逆に有料チケットから優先に使用されるようにしてもよい。
【００７６】
パーティーに参加するときにチケットを使用し、又はチケットを入手する場合、パーティー実行部３４は、開催中のパーティーに参加するために端末接続部２２に接続されている端末２のユーザが所有しているチケットの枚数から、端末２の状態に応じて所定枚数分を減らし又は増やすように、チケット管理部３８に指令する。例えば、パーティーに参加している状態（Ｓ２４）やビデオ通話をしている状態（Ｓ３６）などの端末２の状態に応じて、その端末２のユーザが所有しているチケット枚数を減らし又は増やすことにより、その端末２のユーザから料金を徴収したり、ユーザに報奨を与えたりすることができる。
【００７７】
ビデオ通話の相手を自分の特定ユーザにするときに、チケットを使用し、又はチケットを入手する場合、相互関係管理部３６は、ユーザについての相互関係情報４８が記憶装置４０に記憶されることに対応して、ユーザが所有しているチケットの枚数から所定枚数分を減らし又は増やすように、チケット管理部３８に指令する。
【００７８】
この場合、互いに特定ユーザであるユーザのいずれか一方又は両方から料金を徴収したり、いずれか一方又は両方に報奨を与えたりすることができる。
【００７９】
互いに特定ユーザであるユーザ間でビデオ通話するときに、チケットを使用し、又はチケットを入手する場合、相互関係管理部３６は、ユーザがそのユーザの特定ユーザとビデオ通話を行うことに対応して、そのユーザが所有しているチケットの枚数から所定枚数分を減らし又は増やすように、チケット管理部３８に指令する。
【００８０】
この場合、特定ユーザとビデオ通話するユーザから料金を徴収したり、特定ユーザとビデオ通話するユーザに報奨を与えたりすることができる。
【００８１】
互いに特定ユーザであるユーザ間でメッセージをやり取りときに、チケットを使用し、又はチケットを入手する場合、相互関係管理部３６は、ユーザがそのユーザの特定ユーザとメッセージをやり取りすることに対応して、そのユーザが所有しているチケットの枚数から所定枚数分を減らし又は増やすように、チケット管理部３８に指令する。
【００８２】
この場合、特定ユーザとメッセージをやり取りするユーザから料金を徴収したり、特定ユーザとメッセージをやり取りするユーザに報奨を与えたりすることができる。
【００８３】
以上に説明したように、実施例１のパーティーシステム１０により、パーティーに参加している複数人のユーザから選択された２人ずつの間でビデオ通話を行うパーティーを開催することができる。ユーザは、都合のよい場所で端末を操作することにより、パーティーに参加できる。ビデオ通話でパーティーを行うため、ユーザが集まる会場や、参加受付・パーティー進行等のスタッフが不要である。参加者はパーティー会場に集まる必要がないため、開催日時の制限が少ない。ビデオ通話が可能であれば、遠方であってもパーティーに参加できる。婚活パーティーのように男女間でビデオ通話するパーティーの場合、パーティー参加者が男女同数でなくても、パーティーを開催することができる。
【００８４】
したがって、開催が容易であり、参加しやすいパーティーを実現できる。
【００８５】
互いに特定ユーザであるユーザ同士は、ビデオ通話やメッセージのやり取りができる。互いに特定ユーザであるユーザ同士は、互いに特定ユーザであることが登録された後は、パーティーでビデオ通話することがない。そのため、互いに特定ユーザであるユーザ同士が同一のパーティーに参加しても、そのことは互いに分からない。また、複数人のユーザそれぞれと互いに特定ユーザになることができる。そのため、ユーザは、気軽にパーティーに参加し、特定ユーザを増やすことできる。
【００８６】
＜実施例２＞  異なる組織に所属するユーザが仮想のパーティーに参加することができる実施例２のパーティーシステム及びパーティーシステム用サーバ装置（以下、「サーバ装置」という。）について、説明する。
【００８７】
仮想のパーティーではなく実際に人が集まるパーティー（例えば、婚活パーティー）は、種々の組織が開催している。このような組織が、実施例１のパーティーシステムを構築し、仮想のパーティーを開催することも可能である。しかしながら、システム構築や運用などの負担を考慮すると、ある程度以上の利用者数を確保する必要がある。複数の組織が同一のパーティーシステムを利用できるようにすると、パーティーシステムの構築や運用などの負担が軽減される。
【００８８】
そこで、実施例２のパーティーシステムは、複数の組織が同一のパーティーシステムを利用できるように構成する。実施例２のパーティーシステムは、実施例１と同様に構成されるので、以下では、実施例１と相違する構成を中心に説明する。
【００８９】
実施例２のパーティーシステムにおいて、サーバ装置のユーザ管理部は、ユーザが所属する組織を示す所属情報をユーザ情報に含める。
【００９０】
例えば、実施例２のパーティーシステムを利用可能な組織（以下、「利用組織」という。）のサイトに、ビデオ通話を利用するオンラインパーティーの開催告知ページを設ける。利用組織に所属するユーザが、開催告知ページのオンラインパーティーに参加する場合、開催告知ページに貼り付けられたリンクから、専用アプリをインストールする。専用アプリのインストール後は、実施例１と同様にユーザ登録を行い、実施例１と同様に、パーティーシステムを利用することができる。
【００９１】
実施例１と異なり、サーバ装置のユーザ管理部は、ユーザが所属する利用組織を識別するための所属情報をユーザ情報に含める。利用組織が分かるように、例えば、利用組織ごとに異なるＵＲＬでユーザ登録を受け付けたり、利用組織の開催告知ページに貼り付けるリンクにタグを埋め込む。
【００９２】
パーティー実行部は、ビデオ通話する２台ずつの端末を選択するときに、ユーザ情報に含まれる所属情報を参照してもよい。この場合、別々の利用組織に所属するユーザが一緒に参加するパーティーにおいて、同じ利用組織に所属するユーザ同士のビデオ通話を優先したり、互いに異なる利用組織に所属するユーザ同士のビデオ通話を優先したりすることができる。パーティー実行部が所属情報を参照するので、特定の組織に所属するユーザのみが参加するパーティーを開催できる。
【００９３】
チケット管理部は、例えば、記憶装置４０に記憶されているログ４２を基づいて、あるいは、チケット枚数の増減に対応して、所定種類のチケットの枚数を集計する。具体的には、チケット管理部は、（ｉ）所定の利用組織に所属する全てのユーザについて、ユーザが購入した有料のチケットの枚数を集計する購入枚数集計と、（ii）所定の利用組織に所属する全てのユーザについて、所定のパーティーにおいて、ユーザが当該パーティーに参加する直前に所有していた有料の前記チケットの枚数から減った枚数を集計する消費枚数集計と、（iii）所定のパーティーに参加した全てのユーザについて、当該パーティーにおいて、ユーザが当該パーティーに参加する直前に所有していた有料のチケットの枚数から減った枚数を集計するパーティー集計と、のうち少なくとも一つを行う。
【００９４】
（ｉ）は、所定の組織に所属するユーザが有料のチケットを購入した金額を集計する。（ii）は、所定の組織に所属するユーザが所定のパーティーで使用した有料のチケットの金額を集計する。（iii）は、所定のパーティーで使用された有料のチケットの金額を集計する。（ｉ）〜（iii)の集計を元に、利用組織の費用負担を決めることができる。
【００９５】
＜まとめ＞  以上に説明したように、開催が容易であり、参加しやすいパーティーを実現できる。
【００９６】
なお、本発明は、上記実施の形態に限定されるものではなく、種々変更を加えて実施することが可能である。
【００９７】
例えば、ユーザは、コンサルタントや占い師などの専門家と、自分に合う専門家を探している相談者であっても構わない。その場合、ユーザ管理部は、ユーザ情報に、専門家か相談者かを識別するための情報が含まれるようにし、パーティー実行部は、専門家の端末と相談者の端末とがビデオ通話するように、２台ずつの端末を選択すればよい。
【符号の説明】
【００９８】
２  端末
４  通信網
１０  パーティーシステム
１２  サーバ装置（パーティーシステム用サーバ装置）
２２  端末接続部
２４  ビデオ通話制御部
２６  メッセージ制御部
２６  相互関係管理部
２８  通知部
３０  制御部
３２  ユーザ管理部
３４  パーティー実行部
３４  ユーザ管理部
３６  パーティー実行部
３６  相互関係管理部
３８  チケット管理部
４０  記憶装置
【図１】
2020181518.tif 000003
【図２】
2020181518.tif 000004
【図３】
2020181518.tif 000005
【図４】
2020181518.tif 000006
【図５】
2020181518.tif 000007
【図６】
2020181518.tif 000008
【図７】
2020181518.tif 000009
【図８】
2020181518.tif 000010